(57)【要約】  【課題】  組み付けた一対の分割体に対して簡単にロック及び解除操作できる操作性の良好で取扱いに好都合な吊架線保護カバーを提供する。  【解決手段】  半円筒部３の鍔部４に嵌合凹部８と嵌合凸部５をそれぞれ備えた一対の分割体２，２を半円筒部３の軸線方向に互い違いに係合させて吊架線周りに糸巻状の吊架線保護カバーを構成する。鍔部４の外側面に突設した第１固定部９に、第２固定部１０側を出口とするガイド孔９ａを備える。嵌合凸部５の外側面に突設した第２固定部１０に、ストッパ１１が進入して軸線方向の相対移動を阻止する係合凹部１０ａを備える。ストッパ１１は弾性的に縮小変形可能で、狭小幅のガイド孔９ａを貫通し、先端部が抜け出たら原形に復帰してロック用突起１１ｄがガイド孔９ａから抜け止めされ、この位置で分割体２，２の組み付けをロックする。この状態で状態表示部１１ｅが第１固定部９に隠れて目視不能となる。【選択図】  図８
2019043537.tif 000002
【特許請求の範囲】
【請求項１】
軸線方向に沿って二分割された半円筒部と、半円筒部の一端に鍔部と、他端に半径方向に突出し、前記鍔部に有する嵌合凹部にはめ込み可能な嵌合凸部とをそれぞれ備えた一対の分割体からなり、両分割体を半円筒部の軸線方向に互い違いに係合させることにより吊架線周りに糸巻状に組まれ、前記鍔部及び嵌合凸部の外側面から突出する第１固定部及び第２固定部にストッパが係合して両分割体が固定される吊架線保護カバーであって、
前記第１固定部は、前記第２固定部との並び方向に開口して前記ストッパを挿通させるガイド孔を備え、
前記第２固定部は、前記ガイド孔を通した前記ストッパの進入により前記鍔部と前記嵌合凸部の軸線方向の相対移動を阻止する係合凹部を備え、
前記ストッパは、弾性的に縮小変形させて原形より狭小幅の前記ガイド孔を貫通でき、先端部が抜け出たら原形に復帰してガイド孔の出口側の開口縁に係合し抜け止めする側方へ突出するロック用突起を備え、
前記第１固定部を貫通して第２固定部に係合する前記ストッパが前記鍔部と前記嵌合凸部の相対移動を阻止して前記両分割体を固定することを特徴とする吊架線保護カバー。
【請求項２】
前記ストッパは、前記ガイド孔を貫通した状態で前記第２固定部から離れた位置においてガイド孔の出口側の開口縁に係合し抜け止めする側方へ突出した保持用突起をさらに具備することを特徴とする請求項１に記載の吊架線保護カバー。
【請求項３】
前記ストッパは、前記第２固定部の係合凹部に進入する基部と、
この基部の挿入方向先端部の両側部から前方に延出して側方へ折り返され、基部を挟んで後方まで延び、途上に前記ロック用突起及び保持用突起を備えた対向一対の脚部を具備することを特徴とする請求項２に記載の吊架線保護カバー。
【請求項４】
前記ストッパには、前記第２固定部の係合凹部に進入したロック位置で前記第１固定部のガイド孔の内部に位置して目視不能となる状態表示部を具備することを特徴とする請求項１から３のいずれかに記載の吊架線保護カバー。
【発明の詳細な説明】
【技術分野】
【０００１】
本発明は、電車線路において吊架線に装着するために半割の一対の分割体で構成され、吊架線を両側から挟むように対向させて分割体同士を係合させ吊架線周りに固定する吊架線保護カバーに関する。
【背景技術】
【０００２】
従来、円筒部の一端に鍔部を、他端に半径方向に突出する嵌合凸部をそれぞれ備えた一対の分割体から成り、鍔部に嵌合凸部をはめ込み可能な嵌合凹部を備え、両分割体を互い違いに係合させることにより糸巻状に構成され、吊架線周りに装着されて円筒部にハンガーイヤなどを掛け止める吊架線保護カバーがある。分割体は、鍔部及び嵌合凸部から軸線方向に突出した軸線直交方向に隣接する凸状固定部を備え、これらの凸状固定部のピン孔に二股の割りピンや、特許文献１に記載の止めピンを貫通させることにより、相互間が固定される。割りピンは、ピン孔を貫通させて露出した先端部を凸状固定部の側面に沿って折り曲げて抜け止めする。
特許文献１の止めピンは、弾性変形可能な金属線で構成され、中間部に分割体のピン孔の内周面を押圧するように撓ませつつ挿入させるための曲げ部と、一端部に曲がりの内側に折り返した先端が出口側のピン孔から露出すると、曲げ部の戻り変形により、ピン孔の出口側縁部に係合する抜け係合凹部と、他端部に、曲がりの内側に折り返し、ピン孔の内周面から固定部の側面までを受け入れるクリップ部とを具備する。この止めピンは、ピン孔に差し込んでピン孔の出口側の縁部に係合すれば抜け止めされ、また抜け係合凹部の先端を固定部のピン孔の開口に向けて縁部に沿って軸線直交方向に押し込めば、曲げ部が弾性変形して先端が開口に落ち込んで係合を解き、止めピンを引き抜ける。
【先行技術文献】
【特許文献】
【０００３】
【特許文献１】特開2014-189163号公報
【発明の概要】
【発明が解決しようとする課題】
【０００４】
上記従来の吊架線保護カバーのうち前者においては、割りピンを挿入後、割りピンを二股に開いて曲げることにより抜け止めするが、ピン孔からの脱落を防ぎながらの操作が煩わしく、作業手袋を装着したままでの指先での細かな操作が一層困難になる。また、取り外し作業の際に、曲げた割りピンを真っ直ぐに戻してからペンチ等の工具で引き抜く必要がある。
後者においては、止めピンの形状が長手方向に対して曲げ部による曲りの幅が小さく、小さなピン孔に止めピンを差し込むため、作業手袋を装着したままの指先での細かな操作に難点がある。特に、吊架線保護カバーの着脱作業がトロリ線の高さ位置での高所作業となる上に、夜間に行うことが多く、より簡単に着脱操作できるものが望まれる。また、吊架線保護カバーの分割体が互いに分離する上、分割体と比較して小サイズの止めピンが紛失し易いので、保管、持ち運びなどの管理上、操作、状態確認の取扱い上の煩わしさに難点がある。
そこで、本発明は、組み付けた一対の分割体に対して簡単にロック及び解除操作できる操作性の良好で、取扱いに好都合な吊架線保護カバーを提供することを目的とする。
【課題を解決するための手段】
【０００５】
本発明においては、軸線方向に沿って二分割された半円筒部３と、半円筒部３の一端に鍔部４と、他端に半径方向に突出し、鍔部４の嵌合凹部８にはめ込み可能な嵌合凸部５とをそれぞれ備えた一対の分割体２，２を半円筒部３の軸線方向に互い違いに係合させることにより吊架線周りに糸巻状に組み付ける吊架線保護カバーを構成する。鍔部４及び嵌合凸部５の外側面に、第１固定部９及び第２固定部１０を突設し、これら固定部９，１０間をストッパ１１で係合させて両分割体の分離を阻止する。第１固定部９は、第２固定部１０との並び方向に開口してストッパ１１を挿通させるガイド孔９ａを備える。第２固定部１０は、ストッパ１１が進入して鍔部４と嵌合凸部５の軸線方向の相対移動を阻止する係合凹部１０ａを備える。ストッパ１１は、弾性的に縮小変形させて原形より狭小幅のガイド孔９ａに貫通させ、先端部が抜け出たら原形に復帰してガイド孔９ａの出口側の開口縁に係合し抜け止めすると共に、第２固定部１０の係合凹部１０ａに進入して鍔部４と嵌合凸部５を固定する側方へ突出するロック用突起１１ｄを備える。
【発明の効果】
【０００６】
本発明においては、一対の分割体を組んだ状態で第１固定部のガイド孔に差し込めば、第２固定部の係合凹部にストッパが入り込んで、第１固定部と第２固定部とがストッパを介して結合すると共に、ストッパが抜け止めされるので、分割体が互いに固定され、吊架線に簡単に装着でき、またストッパを幅方向につまんで弾性変形させさて引き戻せば、第２固定部の係合凹部から離脱して第１固定部と第２固定部との結合が解除され、分割体を簡単に取り外すことができ、この結果、吊架線保護カバーの着脱作業を手元の暗い高所で作業手袋を装着したままでも簡単に着脱操作できできる。
保持用突起によりストッパを第１固定部に保持すれば、分割体から分離することなく一体になって持ち運びや保管等の管理上好都合となる。
状態表示部がストッパのロック位置でガイド孔の内部に位置して目視不能となるので、ロック状態，非ロック状態を容易に判別できる。
【図面の簡単な説明】
【０００７】
【図１】本発明に係る吊架線保護カバーの斜視図である。
【図２】図１の吊架線保護カバーの正面図である。
【図３】図１の吊架線保護カバーの背面図である。
【図４】図１の吊架線保護カバーの平面図である。
【図５】図１の吊架線保護カバーの底面図である。
【図６】図１の吊架線保護カバーの右側面図である。
【図７】図１の吊架線保護カバーの左側面図である。
【図８】図１の吊架線保護カバーの分解斜視図である。
【図９】図１の吊架線保護カバーの一部拡大斜視図である。
【図１０】図１の吊架線保護カバーの正面図であり、（Ａ）はストッパを抜いた状態、（Ｂ）はストッパが保持位置にある状態、（Ｃ）はストッパがロック位置にある状態を示す。
【発明を実施するための形態】
【０００８】
本発明の第１実施例を図面を参照して説明する。
図１ないし図７において、吊架線保護カバー１は、円筒部の両端に鍔部を備えた糸巻き状をなす。図８に示すように、吊架線保護カバー１は、円筒部が軸線方向に沿って二分割され、一端に鍔部４をそれぞれ備えた合成樹脂製の一対の分割体２，２を鍔部４が両端に配置されるように互い違いに組み付けて構成される。
【０００９】
分割体２は、吊架線保護カバー１の円筒部を軸線方向に二分した半円筒部３と、これら半円筒部３の一端に半径方向に拡がる鍔部４と、半円筒部３の他端に軸線直交方向に延出する嵌合凸部５とを具備する。半円筒部３の側縁部には、互いを組み付ける際にスライド係合可能な軸線方向の溝６と突条７とを備えている。鍔部４には、半円筒部３が連続する部位の反対側の中央部に嵌合凸部５がはまる嵌合凹部８を備える。半円筒部３には他方の鍔部４が突き当たり位置決めする円弧状突起３ａを有する。
【００１０】
図９に示すように、鍔部４及び嵌合凸部５の外側面には、外側に向かって張り出した第１固定部９，第２固定部１０を備え、これらがストッパ１１を介して結合される。第１固定部９には、第２固定部１０を臨むように開口する軸線直交方向の矩形の通し孔９ａを備える。第２固定部１０は、軸線方向に延びる直交方向に並んだ平行一対の矩形棒状体で構成される。第２固定部１０の第１固定部９に近い側面には、上部を張り出させる係合凹部１０ａを備える。
【００１１】
図１０に示すように、ストッパ１１は、平面視略Ｍ字状の弾性合成樹脂材で構成される。ストッパ１１は、中央部の直方形状の基部１１ａと、この基部１１ａの先端面の上下両側部から前方に延出して折り返され基部１１ａの上下の側面に沿って後方まで延び基部１１ａを挟んで対向する一対の脚部１１ｂとを具備する。板状の脚部１１ｂは、前端同士及び後端同士を接近させるように幅方向に弾性的に縮小変形可能で、これにより脚部１１ｂの相互間隔より狭小幅の通し孔９ａに挿入可能である。脚部１１ｂの前端部及び中間部の上下外側面には、第１固定部９の通し孔９ａを通過したら原形への戻りにより拡大して通し孔９ａの出口側の開口縁部に抜け止めする保持用突起１１ｃ及びロック用突起１１ｄを有する。両突起１１ｃ，１１ｄは、挿入方向前側面が通し孔９ａへの挿入を円滑に行うために傾斜しており、後側面が通し孔９ａの開口縁部に引っかかるようにほぼ直角をなす。保持用突起１１ｃは、第１固定部９にストッパ１１を保持して分割体２に一体に組み付けておき紛失を防止できる。ロック用突起１１ｄは、ストッパ１１を通し孔９ａに押し込んで基部１１ａが第２固定部１０の係合凹部１０ｂ内に進入した状態でストッパ１１を抜け止めする。ストッパ１１の基部１１ａの表裏両側面及び脚部１１ｂの上下外側面には、ロック用突起１１ｄの後部に対応する位置に他の部位から色分けされた状態表示部１１ｅを備える。この状態表示部１１ｅは、基部１１ａが第２固定部１０の係合凹部１０ｂ内に進入してストッパ１１が抜け止めされるロック状態で通し孔９ａ内に位置し第１固定部９と重なることにより目視不能となる。従って、状態表示部１１ｅは第１固定部９から露出した非ロック状態と第１固定部９に重なったロック状態とを識別させる。
【００１２】
この吊架線保護カバー１を吊架線に装着するには、吊架線を挟んで一対の分割体２，２の半円筒部３を軸線方向に互い違いに配置し、溝６と突条７をスライド係合させて、鍔部４の嵌合凹部８に嵌合凸部５を嵌めれば吊架線周りに組み付ける。分割体２，２の組み付け状態で固定部９の通し孔９ａにストッパ１１を差し込む。ストッパ１１の両脚部１１ｂの後端部を横につまんで先端部を通し孔９ａに押し込めば、先端部が幅方向に縮小変形して、通し孔９ａに挿入することができる。ストッパ１１は、保持用突起１１ｃが通し孔９ａから出ると、原形に復帰して通し孔９ａの出口側の開口より拡がるので縁部に引っかかり抜け止めされ、固定部９に保持される。さらにストッパ１１を通し孔９ａに押し込むと、脚部１１ｂ，１１ｂ間が狭まるように幅方向に縮小変形して、通し孔９ａをロック用突起１１ｄが通過でき、通し孔９ａから出ると、原形に復帰して通し孔９ａの開口より拡がるので縁部に引っかかり抜け止めされる。この状態で、ストッパ１１の基部１１ａが第２固定部１０の係合凹部１０ａに進入して第２固定部１０に突き当たり、分割体２，２の組み付け状態をロックする。このとき、状態表示部１１ｅが通し孔９ａの内部に位置し第１固定部９に隠れて目視不能となりロック状態を確認できる。
一方、吊架線保護カバー１を吊架線から取り外すには、ストッパ１１の両脚部１１ｂの後端部を横につまんで幅方向に縮小変形させながら通し孔９ａから引き出し、ロック用突起１１ｄが入口側開口を抜け出れば、ストッパ１１が第２固定部１０の係合凹部１０ａから離脱するので、分割体２，２を軸線方向にスライドさせて分離することができる。ストッパ１１は、一方の分割体２の固定部９に組み付けておけば、紛失が防止される。
【符号の説明】
【００１３】
１    吊架線保護カバー
２    分割体
３    半円筒部
３ａ  円弧状突起
４    鍔部
５    嵌合凸部
６    溝
７    突条
８    嵌合凹部
９    第１固定部
９ａ  通し孔
１０    第２固定部
１０ａ  係合凹部
１１    ストッパ
１１ａ  基部
１１ｂ  脚部
１１ｃ  保持用突起
１１ｄ  ロック用突起
１１ｅ  状態表示部
【図１】
2019043537.tif 000003
【図２】
2019043537.tif 000004
【図３】
2019043537.tif 000005
【図４】
2019043537.tif 000006
【図５】
2019043537.tif 000007
【図６】
2019043537.tif 000008
【図７】
2019043537.tif 000009
【図８】
2019043537.tif 000010
【図９】
2019043537.tif 000011
【図１０】
2019043537.tif 000012